(57)【要約】      （修正有）【課題】被測定物に対し電流を流して検査する検査装置を被測定物の製造ラインに投入する場合において、被測定物の検査のための待ち時間の大幅な短縮を図り、全体としての検査時間（タクトタイム）を短縮することを可能とする検査装置用の給電装置を提供する。【解決手段】被測定物２００に電流を流すことで検査を行う検査装置において使用する給電装置を、検査装置側に給電手段を設け、被測定物側に集電手段を設けることにより、被測定物２００が検査装置に搬入される際に、給電手段と集電手段を電気的に接続させる構成とした。【選択図】図５
2012089759.tif 000002
【特許請求の範囲】
【請求項１】
被測定物に電流を流すことで前記被測定物の検査を行う検査装置用の給電装置であって、
前記検査装置側に給電手段を設け、
前記被測定物側に集電手段を設け、
前記給電手段と前記集電手段とを、前記検査装置に前記被測定物を搬送中に電気的に接続可能な構成したことを特徴とする検査装置用の給電装置。
【請求項２】
請求項１記載の前記検査装置の給電装置において、
前記被測定物上に設けられた集電手段を、被測定物上に仮固定するように構成したことを特徴とする前記検査装置用の給電装置。
【請求項３】
請求項１または請求項２記載の前記検査装置用の給電装置において、
前記給電手段は、帯状導体を含む構成とし、
前記集電手段は、前記給電手段の帯状導体と接触する接触子を備えていることを特徴とする前記検査装置用の給電装置。
【請求項４】
請求項１または請求項２記載の前記検査装置用の給電装置において、
前記集電手段は、帯状導体を含む構成とし、
前記給電手段は、前記集電手段の帯状導体と接触する接触子を備えていることを特徴とする前記検査装置用の給電装置。
【請求項５】
請求項４に記載の前記検査装置用の給電装置において、
前記給電手段は、被測定物の搬送方向に沿って複数個設けたことを特徴とする検査装置用の給電装置。
【請求項６】
請求項１ないし請求項５のいずれか１項に記載の検査装置用の給電装置において、
前記集電手段と前記給電手段による電気的接続によって、前記被測定物を前記検査装置に搬送しながら該被測定物への給電を行い前記被測定物の検査を行うことを特徴とする検査装置用の給電装置。
【請求項７】
請求項１ないし請求項６のいずれか１項に記載の検査装置用の給電装置において、
前記検査装置は暗室を備え、
前記被測定物が発光または発熱し、その状態を前記検査装置の撮影手段等により撮影することにより、前記被測定物の検査を行うことを特徴とする検査装置用の給電装置。
【請求項８】
請求項１ないし請求項７のいずれか１項に記載の検査装置用の給電装置において、
前記被測定物は太陽電池モジュールの構成部材であり、
前記検査装置は、ＥＬ発光を利用した検査またはサーモグラフィー検査を行うように構成した検査装置であることを特徴とする検査装置用の給電装置。
【発明の詳細な説明】
【技術分野】
【０００１】
本発明は、被測定物に電流を流して検査する検査装置に使用する、前記被測定物に給電する検査装置用の給電装置に関する。
【背景技術】
【０００２】
被測定物に電流を流した状態で検査する方法について、被測定物として太陽電池モジュールを例として説明する。
【０００３】
例えば、太陽エネルギーの利用方法として、シリコン型の太陽電池が知られている。太陽電池の製造においては、太陽電池が目的の発電能力を有しているかどうかの性能評価が重要である。性能評価には、通常、出力特性の測定がされる。
【０００４】
出力特性は、光照射下において、太陽電池の電流電圧特性を測定する光電変換特性として行われる。光源としては、太陽光が望ましいのであるが、天候により強度が変化することから、ソーラーシミュレーターが使用されている。
ソーラーシミュレーターでは、太陽光に代えてキセノンランプやメタルハライドランプ等を使用している。また、これらの光源を長時間点灯していると、温度上昇などにより光量が変化する。そこで、これらのランプのフラッシュ光を用い、横軸を電圧、縦軸を電流として、収集したデータをプロットすることにより太陽電池の出力特性曲線を得ている（例えば、特許文献１参照）。
【０００５】
また、ソーラーシミュレーターと異なる方法による検査装置として、シリコンの多結晶型の太陽電池素子に対して順方向に電圧を印加することで、エレクトロルミネッセンス（ＥＬ）を生じさせる方法によるものも知られている（例えば、特許文献２参照）。
ＥＬ発光検査装置では、太陽電池素子から発光されるＥＬを観察することによって、電流密度分布が分かり、電流密度分布の不均一から太陽電池素子の欠陥を知ることができる。すなわち、発光しない部分が欠陥部分と判断でき、この欠陥部分の面積が予め決められた量より少なければ、所定の発電能力を有するものと判断できることになる。
【０００６】
また、上記のＥＬ発光検査装置と同種のものとして、サーモグラフィー検査装置も知られている。このサーモグラフィー検査装置では、太陽電池素子等の製品では欠陥部位での電気抵抗が大きく通電によりジュール熱を発生して発熱することを利用する。すなわち、該検査装置に太陽電池セル等の被測定物を搬入し、これに電流を流すことで、発熱しているか否かを撮影により確認することにより、太陽電池セルでの欠陥の有無を検出できるものである。
【先行技術文献】
【特許文献】
【０００７】
【特許文献１】特開２００７−８８４１９号公報
【特許文献２】ＷＯ２００６／０５９６１５
【発明の概要】
【発明が解決しようとする課題】
【０００８】
ところで、上述したＥＬ検査、サーモグラフィー検査を行う、これまでの検査装置では、被測定物である太陽電池モジュールを、検査装置内に搬入し所定の位置で位置決めした後に、太陽電池モジュールへの通電（給電）を行うように構成していた。したがって、通電して検査可能になるまでの待ち時間分は、検査を開始することができない。これは、太陽電池モジュールの太陽電池セルに電流が流れてから発光または発熱するまでの間にはある程度の時間、たとえば５〜３０秒の時間を要するためである。
【０００９】
そして、上述したように被測定物が検査装置内に搬入され位置固定された後に被測定物へ通電する構造をもつ従来の検査装置では、その検査手順や構造上等の理由から検査時間を短縮することが難しいという問題があった。
【００１０】
これについて詳述すると、上述したＥＬ検査装置においては、該検査装置において被測定物である太陽電池モジュールに通電する際に、装置内で所定位置で位置決めし、さらに通電用のケーブルを接続する等の作業が面倒かつ煩雑であり、しかも通電から発光するまでの間の待ち時間も数秒程度あり、検査装置内で位置決めしてからの通電では全体の検査時間が長くかかるという問題があった。
【００１１】
また、上述したＥＬ検査、サーモグラフィー検査等の検査装置では、被測定物を装置内に搬入して位置決めした際に、該被測定物に外部電源に接続されているケーブルを接続する必要があるが、従来一般に作業者の人手によって個々に行っているために、煩雑な作業を必要とし、検査時間が嵩む原因にもなっている。
【００１２】
本発明は、このような実情に鑑みてなされたもので、被測定物に対し電流を流して検査する検査装置を該被測定物の製造ラインに投入する場合において、被測定物の検査のための待ち時間の大幅な短縮を図り、全体としての検査時間（タクトタイム）を短縮することを可能とする検査装置用の給電装置を提供することを目的としている。
【課題を解決するための手段】
【００１３】
上記の目的を達成するための第１発明の検査装置用の給電装置は、被測定物に電流を流すことで前記被測定物の検査を行う検査装置用の給電装置であって、前記検査装置側に給電手段を設け、前記被測定物側に集電手段を設け、前記給電手段と前記集電手段とを、前記検査装置に前記被測定物を搬送中に電気的に接続可能な構成したことを特徴とする。
第１発明によれば、被測定物側に集電手段を設け、検査装置側に給電手段を設けることにより、検査装置内に被測定物を搬送する際に被測定物へ給電を行うことができるので、これにより検査装置内の所定位置に被測定物が位置決めされる際には、前記給電により被測定物は発光状態または発熱状態となっており、検査時間を最小限とし、検査装置としての検査時間を最大限に短縮することができる。
さらに本給電装置を検査装置に採用することにより、検査時間を短縮することができるので、短縮された検査時間分、検査装置に別の検査機能を追加することができる。したがって、被測定物に対し複数種類の検査を同時または連続して行うことができ、結果として被測定物の品質を向上させることができる。
【００１４】
第２発明の検査装置用の給電装置は、第１発明の検査装置用の給電装置において、前記被測定物上に設けられた集電手段を、被測定物上に仮固定するように構成したことを特徴とする。
第２発明によれば、被測定物が検査装置に搬入される前に、集電手段は作業者が被測定物側に仮固定し、検査装置から搬出された後に取外しするものの、被測定物が検査装置に搬入される過程において被測定物に給電されので、検査装置用の給電装置を簡単かつ安価に構成することができる。
【００１５】
第３発明の検査装置用の給電装置は、第１発明または第２発明の検査装置用の給電装置において、前記給電手段は、帯状導体を含む構成とし、前記集電手段は、前記給電手段の帯状導体と接触する接触子を備えていることを特徴とする。
第３発明によれば、集電手段に前記給電手段の帯状導体と接触する接触子を設け、前記給電手段の帯状導体と集電手段の接触子は、弾性的に摺接させることにより電気的な接続を得ることができるから、被測定物を検査装置内へ搬送している途中での給電が確実に行える。
【００１６】
第４発明の検査装置用の給電装置は、第１発明または第２発明の検査装置用の給電装置において、前記集電手段は、帯状導体を含む構成とし、前記給電手段は、前記集電手段の帯状導体と接触する接触子を備えていることを特徴とする。
第４発明によれば、給電手段に前記集電手段の帯状導体と接触する接触子を設け、前記集電手段の帯状導体と給電手段の接触子は、弾性的に摺接させることにより電気的な接続を得ることができるから、被測定物を搬送している途中での給電が確実に行える。
【００１７】
第５発明の検査装置用の給電装置は、第４発明の検査装置用の給電装置において、前記給電手段は、被測定物の搬送方向に沿って複数個設けたことを特徴とする。
第５発明によれば、被測定物側に設けた集電手段は帯状導体を含む構成であり、検査装置側に給電手段を複数個設けているので、被測定物の搬送方向の長さが短くなっても、常に確実な給電が可能となる。
【００１８】
第６発明の検査装置用の給電装置は、第１発明から第５発明のいずれかの検査装置用の給電装置において、前記集電手段と前記給電手段による電気的接続によって、前記被測定物を前記検査装置に搬送しながら該被測定物への給電を行い前記被測定物の検査を行うことを特徴とする。
第６発明によれば、本発明の給電装置により、被測定物を検査装置に搬送中に給電しながら検査を行うことができるので、検査装置のタクトタイムをさらに大幅に短縮することができる。
【００１９】
第７発明の検査装置用の給電装置は、第１発明から第６発明のいずれかの検査装置用の給電装置において、前記検査装置は暗室を備え、前記被測定物が発光または発熱し、その状態を前記検査装置の撮影手段等により撮影することにより、前記被測定物の検査を行うことを特徴とする。
第７発明によれば、給電装置は、暗室内に収納可能であり、被測定物への給電後の発光状態または発熱状態を暗室で撮影手段により撮影し確実に取得できるため、確実な検査が可能となる。
【００２０】
第８発明の検査装置用の給電装置は、第１発明から第７発明のいずれかの検査装置用の給電装置において、前記被測定物は太陽電池モジュールの構成部材であり、前記検査装置は、ＥＬ発光を利用した検査またはサーモグラフィー検査を行うように構成した検査装置であることを特徴とする。
第８発明によれば、太陽電池モジュールの太陽電池セル（薄膜型のセルも含む）をＥＬ検査、サーモグラフィー検査等を行う検査装置用の給電装置として用いることができ、太陽電池モジュールの検査の待ち時間、ひいては検査時間の大幅な短縮を図ることができる。
検査装置としてサーモグラフィー検査装置においては、被測定物に給電して加熱し被測定物の温度を上昇させる必要があり、このような検査装置には本発明の給電装置を採用することは、検査時間、特に前準備時間の短縮に効果がある。
さらにＥＬ検査およびサーモグラフィー検査とラマン分光器を複合化させた検査装置においては、太陽電池セル以外の構成部材の検査時間の短縮も可能である。
【図面の簡単な説明】
【００２１】
【図１】本発明の検査装置用の給電装置を使用して検査する被測定物の例としての太陽電池モジュールの構成を説明するための図であって、（ａ）は太陽電池モジュールの内部の太陽電池セル（シリコンセル）が分かるように記載した平面図、（ｂ）はその断面図である。
【図２】本発明の検査装置用の給電装置を使用する検査装置の説明図。
【図３】本発明に係る検査装置用の給電装置の一実施形態を示す概略斜視図である。
【図４】図３の給電装置において、これを構成する給電手段と集電手段との関係の概略説明図であって、（ａ）は給電装置の被測定物の搬送方向から見た図、（ｂ）は（ａ）のＡ−Ａ矢視図である。
【図５】図３のＬ部分の詳細斜視図。
【図６】本発明に係る検査装置用の給電装置の別の実施形態を示す概略斜視図である。
【図７】図６の給電装置において、これを構成する給電手段と集電手段との関係の概略説明図であって、（ａ）は給電装置の被測定物の搬送方向から見た図、（ｂ）は（ａ）のＢ−Ｂ矢視図である。
【発明を実施するための形態】
【００２２】
図１から図７により、本発明に係る検査装置用の給電装置の本実施形態を説明する。
本実施形態の説明では、被測定物２００は太陽電池モジュールの太陽電池セル（シリコンセル）を例とし、検査装置１００は太陽電池モジュールのＥＬ検査またはサーモグラフィー検査を行うための検査装置を例としている。ただし本発明は、上記の例としての被測定物および検査装置に限定されるものでは無い。
【００２３】
＜１＞被測定物２００（太陽電池モジュール）
まず、本発明の検査装置用の給電装置が扱う対象である被測定物としての太陽モジュール２００を、図１（ａ），（ｂ）を用いて以下に説明する。
【００２４】
被測定物である太陽電池モジュール２００は、図１（ａ），（ｂ）に示すように、角型の太陽電池セル２８がリード線２９により複数直列に接続されたストリング２５を形成し、さらにそのストリングを複数列リード線２９により接続した構造となっている。
【００２５】
ここで、被測定物である太陽電池モジュール２００としては、太陽電池セル２８が１枚のみのものでもよく、太陽電池セル２８を複数枚直線的につないだストリング２５の状態でもよく、ストリング２５を平行に複数列並べ、太陽電池セル２８がマトリックス状に配置された太陽電池パネル３０でもよい。
【００２６】
また、被測定物の断面構造は、図１（ｂ）に示すように、上側に配置された裏面材２２と下側に配置された透明カバーガラス２１の間に、充填材２３、２４を介して複数列のストリング２５をサンドイッチした構成を有する。ここで、裏面材２２は例えばポリエチレン樹脂などの不透明な材料が使用される。充填材２３，２４には例えばＥＶＡ（エチレンビニルアセテート）樹脂などが使用される。複数列のストリング２５が、電極２６，２７の間で，太陽電池セル２８を、リード線２９を介して接続した構成である。
【００２７】
このような太陽電池モジュール２００は、上記のように構成部材を積層しラミネート装置などにより、真空の加熱状態下で圧力を加え、ＥＶＡを架橋反応させてラミネート加工して得られる。
【００２８】
また、被測定物２００としては、一般に薄膜式と呼ばれる太陽電池を対象とすることもできる。
【００２９】
この薄膜式の代表的な構造例では、下側に配置された透明カバーガラスには、予め透明電極、半導体、裏面電極からなる発電素子が蒸着してある。そして、このような薄膜型太陽電池モジュールは、透明カバーガラスを下向きに配置し、ガラス上の太陽電池素子の上に充填材を被せ、更に、充填材の上に裏面材を被せた構造で、同じようにラミネート加工することにより得られる。
【００３０】
このように被測定物としての薄膜式の太陽電池モジュールは、結晶系セルが蒸着された発電素子に変わるだけで、基本的な封止構造は前記した結晶系セルの場合と同じである。
【００３１】
ここで、本発明による検査装置１００での被測定物である太陽電池モジュール２００としては、一辺のサイズは大型のもでは例えば１〜２ｍ程度である矩形板状を呈する。
【００３２】
＜２＞検査装置１００
本発明の給電装置を使用することができる検査装置としては、ＥＬ光を用いた太陽電池セルの欠陥検査装置、サーモグラフィー検査装置や通電確認装置などがある。本実施形態の説明では、このうちＥＬ光を用いた太陽電池セルの欠陥検査装置（以下欠陥検査装置という）やサーモグラフィー検査装置を例にして検査装置１００の形態をする。
【００３３】
検査装置１００は、図２に示すように略箱型形状のベースフレームＭの上面Ｓに遮光カバーＫが設けられている。被測定物である太陽電池パネル２００は、遮光カバーＫに適宜設けられた開閉扉が開きベースフレーム上に設けられた搬送装置により検査装置内に搬入され位置決め載置される。本実施例の場合は、太陽電池パネルは、図２の矢印の搬送方向に搬送される。太陽電池パネルが検査装置に搬入されると扉が閉じ検査測定が開始される。検査測定が終了すると開閉扉が開き太陽電池パネルは搬出される。
【００３４】
検査装置１００のベースフレームＭは、箱形の暗室となっている。図示は省略するが、暗室には、遮光カバー内に搬入された被測定物である太陽電池モジュール２００の発光または発熱状態を検出するための検出手段、例えば撮影用カメラ等の撮影手段またその移動機構が設けられている。
【００３５】
暗室外には、パソコンを利用した画像処理装置等、各種駆動制御を行う制御装置等といった必要とされる機器、装置等が付設されている。本発明の給電装置は、検査装置１００の遮光カバー内に被測定物の搬送方向に略平行になるように設けられている。本発明の給電装置の実施形態は、図３から図７を用いて以下詳しく述べる。
【００３６】
＜３＞給電装置の実施形態１
図３および図４は、本実施形態１の検査装置用の給電装置の説明図である。図面では、本発明を特徴づける給電装置に関連する部位のみを示す。図５は、図３のＬ部分を拡大した詳細図である。
図３は、検査装置１００の内部に被測定物である太陽電池モジュールが搬入された状態を示す。暗室Ｍは省略している。
【００３７】
被測定物である太陽モジュール２００は、検査装置１００の遮光カバーＫ内に、前工程からの検査装置１００へ受け渡される。太陽モジュール２００が、図３に示すように、検査装置内に搬入載置され、検査測定動作が行われる。
【００３８】
本発明に係る実施形態１の給電装置３００は、検査装置１００側の搬送方向と略平行に適宜の位置に給電手段として断面がほぼコの字状フレームの給電手段３１０を備える。
【００３９】
一方、被測定物である太陽電池モジュール２００側には、集電手段３２０として、集電部材３２５が図１の太陽電池モジュールの裏面材２２上に仮固定されている。集電部材３２０の仮固定は、太陽電池モジュールが本検査装置内に搬入される前に、作業者により仮固定する。仮固定の方法は、集電手段３２０と太陽電池モジュールの裏面材２２との間に接着用シールなどによる簡易的な方法で良い。
【００４０】
被測定物に仮固定する集電手段３２０に、図４に示す様に太陽電池モジュール２００の端子ボックスＢから引き出された正極側ケーブルＣと負極側ケーブルＣを接続する。この接続作業も太陽電池モジュール２００が検査装置１００に搬入される前、集電手段３２０を仮固定した直後に作業者が行なう。
【００４１】
前記給電手段３１０の断面構造は、図４（ａ）に示す通りである。
すなわち、断面がほぼコの字状フレーム３１１の内側に、正極側給電用の銅線および負極側給電用の銅線による帯状導体３１２，３１２が、該フレームに対して絶縁板３１７を介してして設けられている。このフレームの下側に被測定物を検査装置１００に搬入する駆動ローラ３１３が複数個設けられている。また、フレーム３１１の上側部分にも、集電部材３２５を押える構成でフリーローラ３１４が複数個設けられている。このフレーム内に設けられた駆動ローラ３１３と同型の駆動ローラは、検査装置１００内に被測定物を搬入するために用いられるものでもあり、被測定物の幅寸法（搬送方向と直角な方向）に合わせて１対設けられている。
【００４２】
被測定物が検査装置１００内に搬入されると、給電手段３１０の帯状導体３１２の正極側導体と負極側導体が集電手段３２０の接触子と接触する。集電部材３２０の取り付け位置に若干のバラツキが有っても確実に集電部材３２５の接触子３２６と給電手段３１０の帯状導体（給電用導線）３１２が接触するように構成されている。
【００４３】
図４（ｂ）に示すように、集電手段３２０は、ブロック状の集電部材３２５に接触子３２６，３２６が設けられている。接触子３２６は、ブロック状の集電部材３２５に絶縁板３２７を介して取り付けされている。さらにこの接触子３２６、３２６は、給電手段３１０側の前記帯状導体３１２，３１２に対し弾性的に撓んで摺接する状態になるように構成されている。したがって、太陽電池モジュールが搬送され、給電手段３１０を設けた位置に到達すると、集電部材３２５側の接触子３２６，３２６が給電手段３１０側の帯状導体３１２，３１２に弾性的に摺接し、搬送中の電気的接続を保ち、これにより太陽電池モジュール２００側への給電が行われるようになっている。
【００４４】
上述の給電装置３００には、上述した以外に電源、給電制御コントローラ等の必要とされる機器、装置などが適宜附属されている。
【００４５】
＜４＞検査装置と給電装置の動作
被測定物として太陽電池モジュール２００を例として、ＥＬ検査、サーモグラフィー検査を行う検査装置１００に使用される本発明の給電装置の使用方法を以下に説明する。
【００４６】
ラミネート処理後の太陽電池モジュール２００は、前工程でのコンベアなどで本発明に係る検査装置１００の前まで搬送される。次に、給電装置３００を構成する集電手段３２０を被測定物である太陽電池モジュール上の適宜の位置（給電手段と接続ガ可能な位置）に接着シート等で仮固定される。
【００４７】
さらに、このとき、この集電部材３２０には、図４（ｂ）に示すように各太陽電池モジュール２００の端子ボックスＢから引き出された正極側ケーブルＣおよび負極側ケーブルＣを集電部材３２５の各接触子３２６，３２６に電気的に接続されるように、作業者の手作業で接続される。
【００４８】
その後、太陽電池モジュール２００は、検査装置１００の搬送用の駆動ローラ３１３上に移載れる。そして検査装置内に配設した給電手段３１０の配設位置において集電手段３２０(集電部材３２５)の接触子３２６，３２６が給電手段３１０の帯状導体３１２，３１２に弾性的に摺接し、電気的接続が得られて図示しない電源からの給電が行われることになる。
【００４９】
そして、この搬送中において給電状態に置かれた太陽電池モジュール２００は、検査装置１００の遮光カバーＫ内の所定の検査位置まで搬送され、該検査位置において位置決めされる。太陽電池モジュール２００の太陽電池セル２８の発光状態または発熱状態を図示しないカメラなどの撮影手段により撮影が行われ、欠陥部位の検出が行われる。
【００５０】
太陽電池モジュールの検査が完了し、検査装置から太陽電池モジュールが搬出された後、作業者は、集電部材３２０に接続されていた端子ボックスＢから引き出されたケーブルＣを取外し、仮固定されていた集電部材３２０を取り外しする。
【００５１】
また、上述した撮影によって得られる画像データがパソコンなどからなる画像処理装置に送られる。そして、この画像処理装置は、各太陽電池セル２８の画像から発光しない部分や発熱している部分を取り出して分析し、太陽電池セル２８ごとの合否を判断し、全ての太陽電池セルについての合否の結果から、太陽電池パネル８全体としての合否を判断することで、検査が行われる。この場合の給電手段３１０の配設位置、配設長さ等は、給電により太陽電池セル２８が発光または発熱するに必要な時間、搬送時間、搬送速度などを考慮して適宜設定すればよい。
【００５２】
本発明に係る給電装置３００によれば、給電手段３１０と集電手段３２０との摺接による電気的接続によって、被測定物である太陽電池モジュール２００の検査装置へ搬入中に給電を行うことができる。したがって、検査装置内の所定位置での位置決め時には、前記給電により被測定物に発光または発熱が生じており、検査にあたっての待ち時間を最小限とし、検査装置としての検査時間を最大限に短縮することができる。
【００５３】
ここで、給電手段３１０や集電手段３２０は、作業者が被測定物である太陽電池モジュール２００に仮固定するものの、太陽電池モジュールが検査装置に搬入される過程においての給電が可能となるものであり、検査装置において検査のための待ち時間を短縮でき、これにより全体としての検査時間を短縮することができる。
【００５４】
特に、太陽電池モジュールの検査装置への搬入時に給電が可能となり、しかも検査時間を短縮できるから、検査装置に別の検査機能を追加することができる。したがって、太陽電池モジュールに対し複数種類の検査を同時または連続して行うことができ、結果として太陽電池モジュールの品質を向上させることができる。
【００５５】
＜５＞給電装置の実施形態２
図６および図７により、本発明に係る検査装置の給電装置における別の実施形態を説明する。図６は、検査装置１００の内部に被測定物である太陽電池モジュールが搬入された状態を示す。この本実施形態の給電装置４００は、図６に示すように、給電手段４１０と集電手段４２０から構成されている。
【００５６】
前記給電手段４１０及び集電手段４２０の構造について、図７（ａ）および図７（ｂ）により説明する。
【００５７】
図７（ａ）に示すように、給電手段４１０は、コの字状フレ−ム４１１の内側に、正極側給電用の接触子および負極側給電用の接触子を設けたブロック状の給電部材４１５を複数個起立して設けている。本実施形態では、図６に示すように、３個設けている。接触子４１６は、実施形態１と同様の構成であり、１つの集電部材４１５に絶縁板４１７を介して２つ設けられている。このフレーム４１１の下側に太陽電池モジュールを検査装置１００に搬入する駆動ローラ４１３が複数個設けられている。また、フレーム４１１の上側部分にも、集電手段４２０を押える構成でフリーローラ４１４が複数個設けられている。このフレーム内に設けられた駆動ローラ４１３と同型の駆動ローラは、検査装置１００内に被測定物を搬入するために用いられるものでもあり、被測定物の幅寸法（搬送方向と直角な方向）に合わせて１対設けられている。
【００５８】
また給電手段４１０は、図７（ｂ）に示すように、ブロック状の給電部材４１５に接触子４１６，４１６が設けられている。この接触子４１６の構成は、実施形態１と同様である。集電手段４２０側の前記帯状導体４２２，４２２に対し弾性的に撓んで摺接する状態になるように構成されている。したがって、太陽電池モジュールが搬送され、給電部材４１５を設けた位置に到達すると、給電部材４１５側の接触子４１６，４１６が集電手段４２０側の帯状導体４２２，４２２に弾性的に摺接し、搬送中の電気的接続を保ち、これにより太陽電池モジュール側への給電が行われるようになっている。
【００５９】
集電手段４２０は、断面が矩形板状の集電部材４２５の側面に正極側給電用の銅線および負極側給電用の銅線による帯状導体４２２，４２２が絶縁板４２７を介して設けられている。
【００６０】
この集電部材４２５は、太陽電池モジュール２００が検査装置１００内に搬入される前に作業者が接着シートなどにより、太陽電池モジュールの裏面材２２上に仮固定される。また太陽電池モジュールを検査装置１００内に搬入する前に、図７に示す様に太陽電池モジュールの端子ボックスＢから引き出された正極側ケーブルＣと負極側ケーブルＣを集電部材４２５の帯状導体に接続する。集電手段４２０の仮固定および端子ボックスから引出されたケーブルの集電手段への接続は、実施形態１同様作業者が行う。
【００６１】
太陽電池モジュールが検査装置に搬入されると、太陽電池モジュ−ルは検査装置１００内で１対の駆動ローラ４２３上を走行しながら搬入される。また集電部材４２５の上側は、フリーローラ４２４で抑えながら搬入される。この時、給電手段４１０の接触子４１６、４１６が集電手段の帯状導体４２２の正極側導体と負極側導体と接触する。集電手段４２０の取り付け位置に若干のバラツキが有っても、給電手段４１０の接触子と集電部材４２５の帯状導体（集電用導線）４２２が確実に接触するように構成されている。
【００６２】
ここで、集給電手段４１０を複数個設けているのは、被測定物の搬送方向の長さが短い場合に、給電が中断してしまうために、これを防止するためである。
【００６３】
このような給電装置４００は、前述した実施形態と同様の作用効果が得られる。
【００６４】
なお、本発明は上述した実施形態で説明した構造には限定されず、検査装置の給電装置を構成する各部の形状、構造等を適宜変形、変更し得ることはいうまでもない。
例えば給電手段および集電手段の帯状導体（実施形態１の３１２、実施形態２の４２２）、接触子（実施形態１の３２６，実施形態２の４１６）の形状、構造等は適宜変更できるものである。被測定物を検査装置内に搬送する際に電気的接続を確保できる構成のものであればよい。
【００６５】
また、上述した実施形態では、検査装置として、太陽電池セル、太陽電池セルを一列に接続したストリング、ストリングを平行に複数配置した太陽電池パネルなど、太陽電池一般の性能を検査する装置である場合を説明したが、本発明はこれに限定されず、適宜の分野等においての種々の被測定物に適用できることは言うまでもない。更に、電気的接続により給電だけでなく電流の取り出しを行えるものでも、適宜適用可能である。
【符号の説明】
【００６６】
１００  検査装置
２００  被測定物（太陽電池モジュール）
２８    太陽電池セル（シリコンセル）
２９    リード線
３００  給電装置（実施形態１）
３１０  給電手段
３２０  集電手段
４００  給電装置（実施形態２）
４１０  給電手段
４２０  集電手段
【図１】
2012089759.tif 000003
【図２】
2012089759.tif 000004
【図３】
2012089759.tif 000005
【図４】
2012089759.tif 000006
【図５】
2012089759.tif 000007
【図６】
2012089759.tif 000008
【図７】
2012089759.tif 000009